(57)【要約】  本公開の実施例は、背景音楽を選択して動画を撮影する方法、装置、端末機及び媒体を提供する。この方法は、指定音楽に対する閲覧指令を取得するステップと、閲覧指令に基づいて、指定音楽に対応する完全な音楽の詳細ページに移行するステップと、詳細ページから同じスタイル撮影指令を取得した後に、完全な音楽を背景音楽として動画を撮影するステップと、を含む。
2021530147.tif 000002
【特許請求の範囲】
【請求項１】
指定音楽に対する閲覧指令を取得するステップと、
前記閲覧指令に基づいて、前記指定音楽に対応する完全な音楽の詳細ページに移行するステップと、
前記詳細ページから同じスタイル撮影指令を取得した後に、前記完全な音楽を背景音楽として動画を撮影するステップと、を含むことを特徴とする背景音楽を選択して動画を撮影する方法。
【請求項２】
前記指定音楽に対する閲覧指令を取得するステップは、
動画プレイページから表示動画の音楽閲覧コントロールに対するトリガー操作を検出し、前記表示動画の背景音楽を前記指定音楽とし、前記トリガー操作を前記表示動画の背景音楽に対する閲覧指令とするステップ、または、
音楽閲覧ページから指定音楽の音楽閲覧コントロールに対するトリガー操作を検出し、前記指定音楽の音楽閲覧コントロールに対するトリガー操作を指定音楽に対する閲覧指令とするステップ、を含むことを特徴とする請求項１に記載の背景音楽を選択して動画を撮影する方法。
【請求項３】
前記動画プレイページには、少なくとも２つの音楽閲覧コントロールが含まれ、
前記動画プレイページから表示動画の音楽閲覧コントロールに対するトリガー操作を検出するステップは、
前記動画プレイページから表示動画の少なくとも２つの音楽閲覧コントロールのうちの一方に対するトリガー操作を検出するステップを含むことを特徴とする請求項２に記載の背景音楽を選択して動画を撮影する方法。
【請求項４】
前記完全な音楽を背景音楽として動画を撮影するステップの後には、
動画撮影完了指令を取得した後に、前記完全な音楽をの始点から時間長が撮影済みの動画画像に対応する時間と同一の音楽断片をカッティングするステップと、
前記音楽断片を背景音楽として撮影済みの動画画像と合成して目標動画を得、前記目標動画のプレビューページを表示させるステップと、をさらに含むことを特徴とする請求項１〜３のいずれか一項に記載の背景音楽を選択して動画を撮影する方法。
【請求項５】
前記目標動画のプレビューページを表示させるステップの後には、
前記プレビューページから音楽カッティング指令を取得した後に、前記完全な音楽から選択した背景音楽の始点を取得するステップと、
選択された背景音楽の始点に基づいて、時間長が撮影済みの動画画像に対応する時間と同一である音楽断片に対して再カッティングし、再カッティングされた音楽断片を背景音楽として撮影済みの動画画像と合成して、編集後の目標動画を得るステップと、をさらに含むことを特徴とする請求項４に記載の背景音楽を選択して動画を撮影する方法。
【請求項６】
前記詳細ページは、前記完全な音楽に対応するオリジナルミュージシャンマーク及び前記完全な音楽を用いて撮影した動画の表紙をさらに含み、
前記完全な音楽を用いて撮影した動画は、人気動画及び最新動画のうちの少なくとも一方を含むことを特徴とする請求項１〜５のいずれか一項に記載の背景音楽を選択して動画を撮影する方法。
【請求項７】
指定音楽に対する閲覧指令を取得するように構成された指令取得モジュールと、
前記閲覧指令に基づいて、前記指定音楽に対応する完全な音楽の詳細ページに移行するように構成されたページ移行モジュールと、
前記詳細ページから同じスタイル撮影指令を取得した後に、前記完全な音楽を背景音楽として動画を撮影するように構成された動画撮影モジュールと、を備えることを特徴とする背景音楽を選択して動画を撮影する装置。
【請求項８】
前記指令取得モジュールは、
動画プレイページから表示動画の音楽閲覧コントロールに対するトリガー操作を検出し、前記表示動画の背景音楽を前記指定音楽とし、前記トリガー操作を前記表示動画の背景音楽に対する閲覧指令とする第１の操作検出ユニット、または、
音楽閲覧ページから指定音楽の音楽閲覧コントロールに対するトリガー操作を検出し、前記指定音楽の音楽閲覧コントロールに対するトリガー操作を指定音楽に対する閲覧指令とする第２の操作検出ユニット、を備えることを特徴とする請求項７に記載の背景音楽を選択して動画を撮影する装置。
【請求項９】
少なくとも１つのプロセッサと、
少なくとも１つのプログラムを記憶する記憶部と、を備え、
前記少なくとも１つのプロセッサが請求項１〜６のいずれか一項に記載の背景音楽を選択して動画を撮影する方法を実現するように、前記少なくとも１つのプログラムが前記少なくとも１つのプロセッサによって実行されることを特徴とする端末機。
【請求項１０】
コンピュータプログラムが記憶されており、
前記コンピュータプログラムがプロセッサによって実行されることにより、請求項１〜６のいずれか一項に記載の背景音楽を選択して動画を撮影する方法が実現されることを特徴とするコンピュータ読み取り可能な記憶媒体。
【発明の詳細な説明】
【技術分野】
【０００１】
関連特許出願の相互参照
本願は、２０１８年０７月１２日に中国特許庁出願した、出願番号が２０１８１０７６４２８１．６である中国特許出願の優先権を主張し、その全ての内容が参照により本願に援用される。
【０００２】
本発明は、ネットワーク通信技術分野に関し、特に背景音楽（ｂａｃｋｇｒｏｕｎｄ  ｍｕｓｉｃ）を選択して動画を撮影する方法、装置、端末機及び媒体に関するものである。
【背景技術】
【０００３】
コンピュータ技術やインターネット技術や無線ネットワーク技術の発展に伴い、端末にローディングされるいろいろなビデオアプリケーションが出現されており、ユーザは、例えばショート動画（Ｓｈｏｒｔ  ｖｉｄｅｏ）ソーシャルアプリケーションのような動画アプリケーションを介して動画を撮影したり、動画を共有したり、他人の共有動画を閲覧したりすることにより、人生の共有や、友達付き合いや、珍しい事の了解が可能となる。
【０００４】
動画アプリケーションがますます多くなり、消費者らの要求もますます多くなっている。従来におけるショート動画の撮影技術は、ショート動画に対する、消費者らの日増しの利便性の要求を満足させることができなかった。
【発明の概要】
【０００５】
本開示は、動画撮影時の背景音楽選択の利便性を向上させることができる、背景音楽を選択して動画を撮影する方法、装置、端末機及び媒体を提供する。
【課題を解決するための手段】
【０００６】
本開示の実施例に係る背景音楽を選択して動画を撮影する方法は、
指定音楽に対する閲覧指令を取得するステップと、
閲覧指令に基づいて、指定音楽に対応する完全な音楽の詳細ページに移行するステップと、
詳細ページから同じスタイル撮影指令を取得した後に、完全な音楽を背景音楽として動画を撮影するステップと、を含む。
【０００７】
本開示の実施例に係る背景音楽を選択して動画を撮影する装置は、
指定音楽に対する閲覧指令を取得するように構成された指令取得モジュールと、
閲覧指令に基づいて、指定音楽に対応する完全な音楽の詳細ページに移行するように構成されたページ移行モジュールと、
詳細ページから同じスタイル撮影指令を取得した後に、完全な音楽を背景音楽として動画を撮影するように構成された動画撮影モジュールと、を備える。
【０００８】
本開示の実施例に係る端末機は、
１つ又は複数のプロセッサと、
１つ又は複数のプログラムを記憶する記憶部と、を備え、
１つ又は複数のプロセッサが本開示の実施例に記載の背景音楽を選択して動画を撮影する方法を実現するように、１つ又は複数のプログラムが１つ又は複数のプロセッサによって実行される。
【０００９】
本開示の実施例に係るコンピュータ読み取り可能な記憶媒体は、コンピュータプログラムを記憶し、
このコンピュータプログラムがプロセッサによって実行されることにより、本開示の実施例に記載の背景音楽を選択して動画を撮影する方法が実現される。
【発明の効果】
【００１０】
本開示の実施例は、指定音楽に対する閲覧指令に基づいて、指定音楽に対応する完全な音楽の詳細ページに移行し、詳細ページから同じスタイル撮影指令を取得した後に、完全な音楽を背景音楽として動画を撮影することにより、従来技術におけるショート動画の撮影技術が、ショート動画に対する、消費者らの日増している利便性の要求を満足させることができなかった問題を解決し、指定音楽を容易に利用して動画を撮影し、ユーザの操作を減少させ、動画撮影時の背景音楽の選択に対する利便性を向上させることができる。
【図面の簡単な説明】
【００１１】
【図１ａ】本開示の実施例に係る背景音楽を選択して動画を撮影する方法のフローチャートである。
【図１ｂ】本開示の実施例に係るショート動画アプリケーションのページの構成を示す図である。
【図１ｃ】本開示の実施例に係るショート動画アプリケーションの詳細ページの構成を示す図である。
【図１ｄ】本開示の実施例に係るショート動画アプリケーションの動画撮影ページの構成を示す図である。
【図１ｅ】本開示の実施例に係る他のショート動画アプリケーションの詳細ページの構成を示す図である。
【図２ａ】本開示の実施例に係る他の背景音楽を選択して動画を撮影する方法のフローチャートである。
【図２ｂ】本開示の実施例に係るショート動画アプリケーションの動画プレイページの構成を示す図である。
【図２ｃ】本開示の実施例に係る他のショート動画アプリケーションの動画プレイページの構成を示す図である。
【図３ａ】本開示の実施例に係る他の背景音楽を選択して動画を撮影する方法のフローチャートである。
【図３ｂ】本開示の実施例に係るショート動画アプリケーションの音楽閲覧ページの構成を示す図である。
【図４ａ】本開示の実施例に係る他の背景音楽を選択して動画を撮影する方法のフローチャートである。
【図４ｂ】本開示の実施例に係るショート動画アプリケーションの動画撮影ページの構成を示す図である。
【図４ｃ】本開示の実施例に係るショート動画アプリケーションのプレビューページの構成を示す図である。
【図４ｄ】本開示の実施例に係るショート動画アプリケーションの音楽編集領域の構成を示す図である。
【図５】本開示の実施例に係る背景音楽を選択して動画を撮影する装置の構造を示す図である。
【図６】本開示の実施例に係る端末機の構造を示す図である。
【発明を実施するための形態】
【００１２】
以下、図面及び実施例を参照しながら本開示を説明する。かかる具体的な実施例は、本開示を説明するためのものであり、本開示を限定するためのものではない。なお、便宜上、図面においては、本開示との関連部分のみを示し、全部の構成を示すものではない。
【００１３】
図１ａは、本開示の実施例に係る背景音楽を選択して動画を撮影する方法のフローチャートであり、本実施例は、背景音楽を選択して動画を撮影する場合に適用されることができ、この方法は、背景音楽を選択して動画を撮影する装置によって実行されることができ、この装置は、ソフトウェア及び／又はハードウェアによって具現されることができ、この装置は、例えば携帯電話及び／又はタブレットパソコンのような端末機に配置されることができる。図１ａに示したように、この方法は、下記のようなステップを含む。
【００１４】
ステップ１０１０では、指定音楽に対する閲覧指令を取得する。
【００１５】
本実施例では、ユーザは、閲覧ページで他人が共有した動画や音楽を閲覧することができる。閲覧ページは、動画プレイページ、音楽閲覧ページを含むことができる。音楽閲覧ページは、ヒット曲リスト及び／又はローカル音楽リストなどを含み、音楽閲覧ページでは複数の楽曲を閲覧することができる。
【００１６】
指定音楽は、閲覧ページでユーザに提供される音楽をいい、動画プレイページでプレイされる動画の背景音楽や、音楽閲覧ページでユーザが選択して閲覧する音楽を含むことができる。ショート動画アプリケーションは、動画撮影及び処理機能とソーシャル機能との提供が可能な動画アプリケーションである。ユーザが閲覧ページを閲覧する場合、指定音楽に気乗りしてその指定音楽の詳細情報を閲覧しようとする可能性がある。一実施例では、ショート動画アプリケーションの閲覧ページに関連コントロール、例えば音楽閲覧コントロールを設けることによって実現することができる。ユーザが指定音楽に対応する音楽閲覧コントロールに対してトリガー操作を行うことで指定音楽に対する閲覧指令を入力することができる。このトリガー操作を、ユーザの指定音楽に対する閲覧指令とする。一実施例では、音楽閲覧コントロールを音楽閲覧アイコンに設計し、ユーザが音楽閲覧アイコンをクリックすることで指定音楽に対する閲覧指令を入力することができる。音楽閲覧アイコンの表現形式は、実際の要求によって設定することができるので、ここでは具体的に限定しない。一実施例では、音楽閲覧アイコンは、光ディスクであることができる。
【００１７】
ステップ１０２０では、閲覧指令に基づいて、指定音楽に対応する完全な音楽の詳細ページに移行する。
【００１８】
本実施例では、ユーザが音楽閲覧アイコンをトリガーすることによって閲覧指令を生成するときには、ショート動画アプリケーションのページから指定音楽に対応する完全な音楽の詳細ページに移行する。完全な音楽の詳細ページには、指定音楽に対応する完全な音楽の詳細情報及び操作コントロールを含めており、詳細情報は、完全な音楽の名称、対応するオリジナルミュージシャンマーク、この完全な音楽を用いて動画を撮影した回数を含めており、完全な音楽の詳細ページではこの完全な音楽の詳細情報のみを閲覧することができる。一実施例では、詳細ページに、同じスタイル撮影操作コントロールを設けることができる。同じスタイル撮影操作コントロールは、同じスタイル撮影指令を入力するためのものである。同じスタイル撮影指令は、指定音楽に対応する動画撮影ページに進入して、完全な音楽を背景音楽として動画を撮影するための指令である。ユーザは、同じスタイル撮影操作コントロールをトリガー操作して同じスタイル撮影指令を入力することで、指定音楽に対応する動画撮影ページに直接進入して、完全な音楽を背景音楽として動画を撮影することができる。
【００１９】
一実施例では、同じスタイル撮影操作コントロールを同じスタイル撮影操作アイコンに設計することができる。ユーザは、同じスタイル撮影操作アイコンをクリックすることで、指定音楽に対応する動画撮影ページに直接進入して、完全な音楽を背景音楽として動画を撮影することができる。同じスタイル撮影操作アイコンをトリガーする表現形式は、実際の要求によって設定することができるので、ここでは具体的に限定しない。
【００２０】
ステップ１０３０では、詳細ページから同じスタイル撮影指令を取得した後に、完全な音楽を背景音楽として動画を撮影する。
【００２１】
本実施例では、詳細ページからユーザの同じスタイル撮影指令を取得した後に、指定音楽に対応する完全な音楽の詳細ページから指定音楽に対応する動画撮影ページに移行する。動画撮影ページには、撮影コントロールが設けられることができる。一実施例では、撮影コントロールを撮影アイコンに設計することができる。ユーザが撮影アイコンを押圧したときには、完全な音楽を背景音楽とする動画の撮影を開始し、ユーザが撮影アイコンに対する押圧を解除すれば、動画の撮影は停止する。
【００２２】
一実施例では、図１ｂは、本開示の実施例に係る技術案におけるショート動画アプリケーションのページ１の構成を示す図である。ページ１には、音楽閲覧アイコン１１を含めることができる。図１ｃは、本開示の実施例に係る技術案におけるショート動画アプリケーションの詳細ページ２の構成を示す図である。詳細ページ２には、同じスタイル撮影操作アイコン２１を含めることができる。図１ｄは、本開示の実施例に係る技術案におけるショート動画アプリケーションの動画撮影ページ３の構成を示す図である。動画撮影ページ３には、動画撮影３１を含めることができる。ユーザは、ページ１における指定音楽に対応する音楽閲覧アイコン１１をクリックすることで指定音楽に対する閲覧指令を入力して、ショート動画アプリケーションのページ１から指定音楽に対応する完全な音楽の詳細ページ２に移行することができる。ユーザは、詳細ページ２における同じスタイル撮影操作アイコン２１をクリックすることで同じスタイル撮影指令を入力して、詳細ページ２から指定音楽に対応する動画撮影ページ３に移行することができる。ユーザが撮影アイコン３１を押圧したときには、完全な音楽を背景音楽とする動画の撮影を開始し、ユーザが撮影アイコン３１に対する押圧を解除すれば、動画の撮影は停止する。
【００２３】
本実施例に係る技術案において、指定音楽に対する閲覧指令に基づいて、指定音楽に対応する完全な音楽の詳細ページに移行し、詳細ページから同じスタイル撮影指令を取得した後に、完全な音楽を背景音楽として動画を撮影することにより、従来技術におけるショート動画の撮影技術が、ショート動画に対する、消費者らの日増している利便性の要求を満足させることができなかった問題を解決し、指定音楽を容易に利用して動画を撮影し、ユーザの操作を減少させ、動画撮影時の背景音楽の選択に対する利便性を向上させることができる。
【００２４】
一実施例では、上記技術案に加えて、詳細ページは、完全な音楽に対応するオリジナルミュージシャンマーク及び完全な音楽を用いて撮影した動画の表紙をさらに含み、完全な音楽を用いて撮影した動画は、人気動画及び／又は最新動画を含む。
【００２５】
図１ｅは、本開示の実施例に係る技術案における他のショート動画アプリケーションの詳細ページ４の構成を示す図である。詳細ページ４は、同じスタイル撮影操作アイコン４１と、完全な音楽に対応するオリジナルミュージシャンマーク４２と、完全な音楽を用いて撮影した動画の表紙４３と、を含む。ユーザは、ページ１における指定音楽に対応する音楽閲覧アイコン１１をクリックすることで指定音楽に対する閲覧指令を入力して、ショート動画アプリケーションのページ１から指定音楽に対応する完全な音楽の詳細ページ４に移行することができる。ユーザは、詳細ページ４における同じスタイル撮影操作アイコン４１をクリックすることで、詳細ページ４から指定音楽に対応する動画撮影ページ３に移行することができる。ユーザは、オリジナルミュージシャンマーク４２をクリックすることで、完全な音楽に対応するミュージシャンの情報内容を閲覧することができる。ユーザは、完全な音楽を用いて撮影した動画の表紙４３をクリックすることで、完全な音楽を用いて撮影した動画の情報内容を閲覧することができる。
【００２６】
本開示の実施例において、上述したように、ユーザに、完全な音楽に関するミュージシャン情報及び動画情報を便利的に提供することができる。したがって、ユーザがこの詳細ページに進入した後に、一番最初に完全な音楽に関するミュージシャン情報及び動画情報を見ることができ、ユーザが完全な音楽に関する音楽または動画に気乗りすれば、完全な音楽に対応するオリジナルミュージシャンマークまたは完全な音楽を用いて撮影した動画の表紙を直接クリックすることで、ミュージシャン情報または動画情報を閲覧することができ、検索によって完全な音楽に関するミュージシャン情報及び動画情報を取得する必要はなく、ユーザがミュージシャン及び動画に関する情報を取得する操作を簡略化することができる。
【００２７】
図２ａは、本開示の実施例に係る他の背景音楽を選択して動画を撮影する方法のフローチャートであり、本実施例は、上記の実施例を基にして説明する。本実施例では、指定音楽に対する閲覧指令を取得することは、動画プレイページから表示動画の音楽閲覧コントロールに対するトリガー操作を検出し、表示動画の背景音楽を指定音楽とし、このトリガー操作を表示動画の背景音楽に対する閲覧指令とすることを含む。
【００２８】
図２ａに示したように、この方法は、下記のようなステップを含む。
【００２９】
ステップ２０１０では、動画プレイページから表示動画の音楽閲覧コントロールに対するトリガー操作を検出し、表示動画の背景音楽を指定音楽とし、このトリガー操作を表示動画の背景音楽に対する閲覧指令とする。
【００３０】
本実施例では、ユーザが動画プレイページで他人が共有した動画を閲覧する場合、この動画の背景音楽に気乗りして、この背景音楽を利用して動画を撮影しようとする可能性がある。従来技術においては、背景音楽に使用された音楽の名称などの音楽情報を取得し、音楽情報に基づいて音楽ブックから検索して背景音楽に使用された音楽を得た後に、この音楽を背景音楽として選択して動画を撮影することが一般である。本開示に至るにおいては、従来技術に下記のような欠陥があることを発見した。すなわち、ユーザが動画を閲覧する場合、この動画の背景音楽に気乗りして、この背景音楽を利用して動画を撮影したいが、この背景音楽に使用された音楽の名称を知らなければ、音楽ブックからこの音楽を得て動画を撮影することが困難であった。本開示の実施例では、動画プレイページに表示動画の音楽閲覧コントロールを設けることができる。ユーザは、表示動画の音楽閲覧コントロールをトリガ操作することで、表示動画の背景音楽に対する閲覧指令を入力することができる。動画プレイページから表示動画の音楽閲覧コントロールに対するトリガー操作を検出した後に、表示動画の背景音楽を指定音楽とし、このトリガー操作を表示動画の背景音楽に対する閲覧指令とする。一実施例では、表示動画の音楽閲覧コントロールを音楽閲覧アイコンに設計することができ、ユーザが表示動画の音楽閲覧アイコンをクリックすることで、表示動画の背景音楽に対する閲覧指令を入力することができる。音楽閲覧アイコンの表現形式は、実際の要求によって設定することができるので、ここでは具体的に限定しない。一実施例では、音楽閲覧アイコンは、光ディスクであることができる。
【００３１】
ステップ２０２０では、閲覧指令に基づいて、指定音楽に対応する完全な音楽の詳細ページに移行する。
【００３２】
ステップ２０３０では、詳細ページから同じスタイル撮影指令を取得した後に、完全な音楽を背景音楽として動画を撮影する。
【００３３】
一実施例では、図２ｂは、本開示の実施例に係る技術案におけるショート動画アプリケーションの動画プレイページ５の構成を示す図である。動画プレイページ５のには、音楽閲覧アイコン５１を含めることができる。ユーザは、動画プレイページ５における指定音楽に対応する音楽閲覧アイコン５１をクリックすることで指定音楽に対する閲覧指令を入力して、ショート動画アプリケーションの動画プレイページ５から指定音楽に対応する完全な音楽の詳細ページ２に移行することができる。詳細ページから同じスタイル撮影操作コントロールに対するトリガー操作を検出した後に、完全な音楽を背景音楽として動画を撮影する。
【００３４】
本実施例に係る技術案において、動画プレイページから表示動画の音楽閲覧コントロールに対するトリガー操作を検出し、表示動画の背景音楽を指定音楽とし、このトリガー操作を表示動画の背景音楽に対する閲覧指令とし、指定音楽に対する閲覧指令に基づいて指定音楽に対応する完全な音楽の詳細ページに移行し、詳細ページから同じスタイル撮影操作コントロールに対するトリガー操作を検出した後に、完全な音楽を背景音楽として動画を撮影することにより、ショート動画撮影技術においてユーザが表示動画の背景音楽に使用された音楽の名称を知らないときに、音楽ブックからこの音楽を得て動画を撮影することが困難であった問題を解決し、表示動画の背景音楽を容易に利用して動画を撮影することができ、ユーザの操作を減少させることができる。
【００３５】
一実施例では、上記技術案に加えて、動画プレイページには、少なくとも２つの音楽閲覧コントロールを含み、動画プレイページから表示動画の音楽閲覧コントロールに対するトリガー操作を検出することは、動画プレイページから表示動画の少なくとも２つの音楽閲覧コントロールのうちの一方に対するトリガー操作を検出することを含む。
【００３６】
一実施例では、動画プレイページに、音楽スクロール位置が設けられている。音楽スクロール位置は、現在の動画に関する情報をスクロール表示させるためのものである。音楽スクロール位置を音楽閲覧コントロールとすることができ、ユーザは、表示動画の音楽スクロール位置をクリックすることで、表示動画の背景音楽に対する閲覧指令を入力することができる。一実施例では、少なくとも２つの音楽閲覧コントロールは、音楽スクロール位置及び音楽閲覧アイコンを含む。ユーザは、表示動画の音楽スクロール位置又は音楽閲覧アイコンをクリックすることで、表示動画の背景音楽に対する閲覧指令を入力することができる。動画プレイページから表示動画のスクロール位置又は音楽閲覧アイコンに対するトリガー操作を検出した後に、表示動画の背景音楽を指定音楽とし、このトリガー操作を表示動画の背景音楽に対する閲覧指令とする。
【００３７】
一実施例では、図２ｃは、本開示の実施例に係る技術案における他のショート動画アプリケーションの動画プレイページ６の構成を示す図である。動画プレイページ６には、音楽スクロール位置６１及び音楽閲覧アイコン６２を含めることができる。ユーザは、表示動画の音楽スクロール位置又は音楽閲覧アイコンをクリックすることで表示動画の背景音楽に対する閲覧指令を入力して、ショート動画アプリケーションの動画プレイページ６から表示動画の背景音楽に対応する完全な音楽の詳細ページに移行することができる。詳細ページから同じスタイル撮影操作コントロールに対するトリガー操作を検出した後に、完全な音楽を背景音楽として動画を撮影する。
【００３８】
本開示に係る実施例において、少なくとも２つの音楽閲覧コントロールを設け、表示動画の少なくとも２つの音楽閲覧コントロールのうちの一方に対するトリガー操作によって、表示動画の背景音楽に対する閲覧指令を容易に入力することができる。
【００３９】
図３ａは、本開示の実施例に係る他の背景音楽を選択して動画を撮影する方法のフローチャートであり、本実施例は、上記の実施例を基にして説明する。本実施例では、指定音楽に対する閲覧指令を取得することは、音楽閲覧ページから指定音楽の音楽閲覧コントロールに対するトリガー操作を検出し、このトリガー操作を指定音楽に対する閲覧指令とすることを含む。
【００４０】
図３ａに示したように、この方法は、下記のようなステップを含む。
【００４１】
ステップ３０１０では、音楽閲覧ページから指定音楽の音楽閲覧コントロールに対するトリガー操作を検出し、このトリガー操作を指定音楽に対する閲覧指令とする。
【００４２】
一実施例では、音楽閲覧ページには、少なくとも一曲の音楽の音楽情報、及び音楽に対応する音楽閲覧コントロールを含める。
【００４３】
一実施例では、ユーザが音楽閲覧ページで音楽を閲覧する場合、この音楽に気乗りして、この音楽を利用して動画を撮影しようとする可能性がある。本実施例では、音楽閲覧ページには、音楽に対応する音楽閲覧コントロールが設けられることができる。ユーザは、音楽閲覧コントロールをトリガ操作することで、音楽に対応する音楽閲覧コントロールに対する閲覧指令を入力することができる。音楽閲覧ページから指定音楽の音楽閲覧コントロールに対するトリガー操作を検出した後に、音楽閲覧コントロールに対応する音楽を指定音楽とし、このトリガー操作を指定音楽に対する閲覧指令とする。一実施例では、音楽に対応する音楽閲覧コントロールを音楽閲覧アイコンに設計することができ、ユーザが音楽に対応する音楽閲覧アイコンをクリックすることで、音楽に対する閲覧指令を入力することができる。音楽閲覧アイコンの表現形式は、実際の要求によって設定することができるので、ここでは具体的に限定しない。一実施例では、音楽閲覧アイコンは、光ディスクであることができる。
【００４４】
ステップ３０２０では、閲覧指令に基づいて、指定音楽に対応する完全な音楽の詳細ページに移行する。
【００４５】
ステップ３０３０では、詳細ページから同じスタイル撮影指令を取得した後に、完全な音楽を背景音楽として動画を撮影する。
【００４６】
一実施例では、図３ｂは、本開示の実施例に係る技術案におけるショート動画アプリケーションの音楽閲覧ページ７の構成を示す図である。音楽閲覧ページ７には、少なくとも一曲の音楽の音楽情報、及び音楽に対応する音楽閲覧アイコン７１を含めることができる。ユーザは、音楽に対応する音楽閲覧アイコン７１をクリックすることで音楽に対する閲覧指令を入力して、ショート動画アプリケーションの音楽閲覧ページ７から指定音楽に対応する完全な音楽の詳細ページに移行することができる。詳細ページから同じスタイル撮影操作コントロールに対するトリガー操作を検出した後に、完全な音楽を背景音楽として動画を撮影する。
【００４７】
本実施例に係る技術案において、音楽閲覧ページから指定音楽の音楽閲覧コントロールに対するトリガー操作を検出し、このトリガー操作を指定音楽に対する閲覧指令とし、指定音楽に対する閲覧指令に基づいて指定音楽に対応する完全な音楽の詳細ページに移行し、詳細ページから同じスタイル撮影操作コントロールに対するトリガー操作を検出した後に、完全な音楽を背景音楽として動画を撮影することにより、ショート動画撮影技術においてユーザが音楽詳細ページに進入した後にこの音楽を利用して動画を撮影したい場合は、音楽閲覧ページに戻って背景音楽を選定して動画を撮影しなければならないとの操作が煩雑な問題を解決し、直接現在の音楽を背景音楽として動画を撮影することができ、ユーザの操作を減少させることができる。
【００４８】
図４ａは、本開示の実施例に係る他の背景音楽を選択して動画を撮影する方法のフローチャートであり、本実施例は、背景音楽を選択して動画を撮影する場合に適用されることができる。図４ａに示したように、この方法は、下記のようなステップを含む。
【００４９】
ステップ４０１０では、指定音楽に対する閲覧指令を取得する。
【００５０】
ステップ４０２０では、閲覧指令に基づいて、指定音楽に対応する完全な音楽の詳細ページに移行する。
【００５１】
ステップ４０３０では、詳細ページから同じスタイル撮影指令を取得した後に、完全な音楽を背景音楽として動画を撮影する。
【００５２】
ステップ４０４０では、動画撮影完了指令を取得した後に、完全な音楽をの始点から時間長が撮影済みの動画画像に対応する時間と同一の音楽断片をカッティングする。
【００５３】
一実施例では、詳細ページからユーザの同じスタイル撮影操作コントロールに対するトリガー操作を検出した後に、指定音楽に対応する完全な音楽の詳細ページから指定音楽に対応する動画撮影ページに移行する。動画撮影ページには、撮影コントロールが設けられることができる。一実施例では、撮影コントロールを撮影アイコンに設計することができる。ユーザが撮影アイコンを押圧したときには、完全な音楽を背景音楽とする動画の撮影を開始し、ユーザが撮影アイコンに対する押圧を解除すれば、動画の撮影は停止する。動画撮影完了指令を取得した後に、予め設定されたカッティングアルゴリズムによって、完全な音楽の始点から時間長が撮影済みの動画画像に対応する時間と同一の音楽断片をカッティングする。
【００５４】
一実施例では、動画撮影ページには、撮影完了確認コントロールが設けられることができる。ユーザは、撮影完了確認コントロールをトリガー操作して動画撮影完了指令を入力することができる。一実施例では、撮影完了確認コントロールを撮影完了確認アイコンに設計することができ、ユーザは、撮影完了確認アイコンをクリックして動画撮影完了指令を入力することができる。撮影完了確認アイコンの表現形式は、実際の要求によって設定することができるので、ここでは具体的に限定しない。
【００５５】
一実施例では、動画撮影時間を予め設定しておく。ユーザが撮影アイコンを押圧すると、計時を開始し、動画撮影時間に達すると、動画撮影完了指令を自動的に生成する。
【００５６】
ステップ４０５０では、音楽断片を背景音楽として撮影済みの動画画像と合成して目標動画を得、目標動画のプレビューページを表示させる。
【００５７】
一実施例では、予め設定されたクリッピングアルゴリズムによって、完全な音楽の始点から時間長が撮影済みの動画画像に対応する時間と同一であるようにカッティングされた音楽断片を背景音楽として撮影済みの動画画像と合成して目標動画を得る。目標動画を得た後、目標動画のプレビューページを表示させる。目標動画のプレビューページは、目標動画をプレイするためのものである。
【００５８】
ステップ４０６０では、プレビューページから音楽カッティング指令を取得した後に、完全な音楽から選択した背景音楽の始点を取得する。
【００５９】
本実施例では、ユーザが選択した背景音楽の始点は、完全な音楽の始点と異なる。ユーザが選択した背景音楽の始点は、ユーザが完全な音楽から選択した音楽断片の始点である。完全な音楽において、その始点からの、時間長が撮影済みの動画画像に対応する時間と同一である音楽断片を背景音楽とする。
【００６０】
一実施例では、プレビューページには、音楽カッティングコントロールが設けられることができる。ユーザは、音楽カッティングコントロールをトリガー操作して音楽カッティング指令を入力することができる。一実施例では、音楽カッティングコントロールを音楽カッティングアイコンに設計することができ、ユーザが音楽カッティングアイコンをクリックして音楽カッティング指令を入力することができる。音楽カッティングアイコンの表現形式は、実際の要求によって設定することができるので、ここでは具体的に限定しない。一実施例では、音楽カッティングアイコンは、ハサミであることができる。ユーザが音楽カッティングアイコンをクリックすることによって入力された音楽カッティング指令を取得した後に、プレビューページに音楽編集領域を表示させる。
【００６１】
音楽編集領域には、完全な音楽の音響スペクトルアイコン及び対応する始点選択コントロールを含む。音響スペクトルアイコンは、完全な音楽の音響スペクトルを示すためのものであり、音響スペクトル（Ａｃｏｕｓｔｉｃ  Ｓｐｅｃｔｒｕｍ）は、音声に含まれる成分及び音色における音声学エネルギーの配分モードを描写するためのものである。音響スペクトルは、「音声の写真」と見なすことができ、音声の発音過程におけるある瞬間での周波数と振幅との関係を反映することができ、音響スペクトルの横座標は周波数であり、縦座標は振幅である。始点選択コントロールは、完全な音楽の音響スペクトルアイコンから背景音楽の始点を選択するためのものである、一実施例では、始点選択コントロールを始点選択アイコンに設計することができる。完全な音楽の音響スペクトルアイコン及び始点選択アイコンの表現形式は、実際の要求によって設定することができるので、ここでは具体的に限定しない。
【００６２】
一実施例では、ユーザは、背景音楽の始点が選択されるように、始点選択コントロールに対してドラッグ操作を行う。音響スペクトルアイコンにおける、始点選択コントロールの位置に対応する位置点が、ユーザが選択した背景音楽の始点である。
【００６３】
ステップ４０７０では、選択された背景音楽の始点に基づいて、時間長が撮影済みの動画画像に対応する時間と同一である音楽断片に対して再カッティングし、再カッティングされた音楽断片を背景音楽として撮影済みの動画画像と合成して、編集後の目標動画を得る。
【００６４】
本実施例では、ユーザが選択した背景音楽の始点を取得した後、ユーザが選択した背景音楽の始点に基づいて、時間長が撮影済みの動画画像に対応する時間と同一である音楽断片に対して再カッティングし、再カッティングされた音楽断片を背景音楽として撮影済みの動画画像と合成して、編集後の目標動画を得る。一実施例では、プレビュープレイページには、編集後の動画がプレイされる。
【００６５】
一実施例では、音楽編集領域には、音楽確認コントロールが設けられることができる。適切な音楽断片が選択され、音楽編集が完了されると、ユーザが音楽確認コントロールをトリガー操作して音楽確認指令を入力することができる。一実施例では、音楽確認コントロールを音楽確認アイコンに設計することができ、ユーザが音楽確認アイコンをクリックして音楽確認指令を入力することができる。音楽確認アイコンの表現形式は、実際の要求によって設定することができるので、ここでは具体的に限定しない。音楽編集領域から音楽確認指令が取得されると、プレビューページは音楽編集領域をもう表示しない。
【００６６】
一実施例では、図４ｂは、本開示の実施例に係る技術案におけるショート動画アプリケーションの動画撮影ページ８の構成を示す図である。動画撮影ページ８には、撮影アイコン８１及び撮影完了確認アイコン８２を含めることができる。図４ｃは、本開示の実施例に係る技術案におけるショート動画アプリケーションのプレビューページ９の構成を示す図である。プレビューページ９には、音楽カッティングアイコン９１を含めることができる。図４ｄは、本開示の実施例に係る技術案におけるショート動画アプリケーションの音楽編集領域１０の構成を示す図である。音楽編集領域１０は、プレビューページ９上に位置する。音楽編集領域１０には、完全な音楽の音響スペクトルアイコン１０１、始点選択アイコン１０２及び音楽確認アイコン１０３を含めることができる。ユーザが撮影アイコン８１を押圧すると、完全な音楽を背景音楽とする動画撮影が開始され、ユーザが撮影アイコン８０に対する押圧を解除すると、動画撮影が停止される。ユーザが撮影完了確認アイコン８２をクリックすることによって入力された動画撮影完了指令取得した後に、音楽断片を背景音楽として撮影済みの動画画像と合成しして、目標動画を得、目標動画のプレビューページ９を表示させる。プレビューページ９は、目標動画をプレイする。ユーザが始点選択アイコン１０２をクリックして音楽カッティング指令を入力すると、プレビューページ９に音楽編集領域１０が表示される。始点選択アイコン１０２に対してドラッグ操作を行って始点選択アイコン１０２の位置を確認することによって、ユーザが選択した背景音楽の始点が取得される。ユーザが選択した背景音楽の始点に基づいて、時間長が撮影済みの動画画像に対応する時間と同一である音楽断片に対して再カッティングし、再カッティングされた音楽断片を背景音楽として撮影済みの動画画像と合成して、編集後の目標動画を得る。プレビューページ９は、編集後の目標動画をプレイする。ユーザが音楽確認アイコン１０３をクリックして音楽確認指令を入力すると、プレビューページ９は音楽編集領域１０をもう表示しない。
【００６７】
本実施例に係る技術案において、完全な音楽の始点から時間長が撮影済みの動画画像に対応する時間と同一であるようにカッティングされた音楽断片を背景音楽として撮影済みの動画画像と合成して目標動画を得、目標動画のプレビューページを表示させ、音楽カッティング指令を取得した後に、音楽の音響スペクトルアイコン及び対応する音楽断片選択コントロールを含む音楽編集領域をプレビューページに表示させ、ユーザの音楽断片選択コントロールに対するドラッグ操作によってユーザが選択した音楽断片を確定し、ユーザが選択した音楽断片を背景音楽として撮影済みの動画画像と合成して、編集後の動画を得ることにより、動画撮影完了後に、容易に動画の背景音楽に対して編集することができる。
【００６８】
図５は、本開示の実施例に係る背景音楽を選択して動画を撮影する装置の構造を示す図であり、本実施例は、背景音楽を選択して動画を撮影する場合に適用されることができ、この装置は、ソフトウェア及び／又はハードウェアによって具現されることができ、この装置は、例えば携帯電話及び／タブレットパソコンのような端末機に配置されることができる。図５に示したように、この装置は、指令取得モジュール５０１と、ページ移行モジュール５０２と、動画撮影モジュール５０３と、を備える。
【００６９】
本実施例では、指令取得モジュール５０１は、指定音楽に対する閲覧指令を取得するように構成され、ページ移行モジュール５０２は、閲覧指令に基づいて、前記指定音楽に対応する完全な音楽の詳細ページに移行するように構成され、動画撮影モジュール５０３は、詳細ページから同じスタイル撮影指令を取得した後に、完全な音楽を背景音楽として動画を撮影するように構成される。
【００７０】
本実施例に係る技術案において、指定音楽に対する閲覧指令に基づいて、指定音楽に対応する完全な音楽の詳細ページに移行し、詳細ページから同じスタイル撮影指令を取得した後に、完全な音楽を背景音楽として動画を撮影することにより、従来技術におけるショート動画の撮影技術が、ショート動画に対する、消費者らの日増しの利便性の要求を満足させることができなかった問題を解決し、指定音楽を容易に利用して動画を撮影し、ユーザの操作を減少させ、動画撮影時の背景音楽の選択に対する利便性を向上させることができる。
【００７１】
一実施例では、上記技術案に加えて、指令取得モジュール５０１は、動画プレイページから表示動画の音楽閲覧コントロールに対するトリガー操作を検出し、表示動画の背景音楽を指定音楽とし、このトリガー操作を表示動画の背景音楽に対する閲覧指令とする第１の操作検出ユニット、または、音楽閲覧ページから指定音楽の音楽閲覧コントロールに対するトリガー操作を検出し、指定音楽の音楽閲覧コントロールに対するトリガー操作を指定音楽に対する閲覧指令とする第２の操作検出ユニットを備えることができる。
【００７２】
一実施例では、上記技術案に加えて、動画プレイページには、少なくとも２つの音楽閲覧コントロールを含めることができる。
【００７３】
一実施例では、上記技術案に加えて、第１の操作検出ユニットは、動画プレイページから表示動画の音楽閲覧コントロールに対するトリガー操作を検出することができ、動画プレイページから表示動画の少なくとも２つの音楽閲覧コントロールのうちの一方に対するトリガー操作を検出することができる。
【００７４】
一実施例では、上記技術案に加えて、この装置は、動画撮影完了指令取得した後に、完全な音楽をの始点から時間長が撮影済みの動画画像に対応する時間と同一の音楽断片をカッティングする音楽カッティングモジュールと、音楽断片を背景音楽として撮影済みの動画画像と合成して目標動画を得、目標動画のプレビューページを表示させる目標動画取得モジュールと、をさらに備えることができる。
【００７５】
一実施例では、上記技術案に加えて、この装置は、プレビューページから音楽カッティング指令を取得した後に、完全な音楽から選択した背景音楽の始点を取得する始点取得モジュールと、選択された背景音楽の始点に基づいて、時間長が撮影済みの動画画像に対応する時間と同一である音楽断片を再カッティングし、再カッティングされた音楽断片を背景音楽として撮影済みの動画画像と合成して、編集後の目標動画を得る動画編集モジュールと、をさらに備えることができる。
【００７６】
一実施例では、上記技術案に加えて、詳細ページは、完全な音楽に対応するオリジナルミュージシャンマーク及び完全な音楽を用いて撮影した動画の表紙をさらに含むことができる。
【００７７】
一実施例では、上記技術案に加えて、完全な音楽を用いて撮影した動画は、人気動画及び／又は最新動画を含むことができる。
【００７８】
本開示の実施例に係る背景音楽を選択して動画を撮影する装置は、本開示のいずれかの実施例に係る背景音楽を選択して動画を撮影する方法を実行することができ、この方法を実行するための機能モジュール及び有利な効果を有する。
【００７９】
図６は、本開示の実施例に係る端末機の構造を示す図である。端末機はいろいろな形式で具現されることができ、本開示における端末機は、携帯電話、スマトフォン、ノートパソコン、デジタル放送受信機、パーソナルデジタルアシスタント（Ｐｅｒｓｏｎａｌ  Ｄｉｇｉｔａｌ  Ａｓｓｉｓｔａｎｔ，ＰＤＡ）、タブレットパソコン（Ｐｏｒｔａｂｌｅ  Ａｎｄｒｏｉｄ  Ｄｅｖｉｃｅ，ＰＡＤ）、携帯マルチメディアプレーヤー（Ｐｏｒｔａｂｌｅ  Ｍｕｌｔｉｍｅｄｉａ  Ｐｌａｙｅｒ，ＰＭＰ）、ナビゲーション装置、車両用端末機、車両用表示端末、車両用電子バックミラーなどのような移動式端末機、およびデジタルテレビ（ｔｅｌｅｖｉｓｉｏｎ，ＴＶ）、卓上型コンピュータなどのような固定式端末機を含むことができるが、これらに限定されることではない。
【００８０】
図６に示したように、端末機６１０は、無線通信ユニット６０１、オーディオ／ビデオ（Ａｕｄｉｏ／Ｖｉｄｅｏ，Ａ／Ｖ）入力ユニット６０２、ユーザ入力ユニット６０３、検出ユニット６０４、出力ユニット６０５、記憶部６０６、インターフェースユニット６０７、プロセッサ６０８、及び電源ユニット６０９などを備える。図６には、複数のアセンブリを有する端末機を示したが、全てのアセンブリが作動する必要はなく、より多い又は少ないアセンブリが作動してもよい。
【００８１】
一実施例では、無線通信ユニット６０１は、端末機６１０と無線通信システム又はネットワークとの間の無線通信を許容する。Ａ／Ｖ入力ユニット６０２は、オーディオ信号又はビデオ信号を受信する。ユーザ入力ユニット６０３は、端末機の各種操作を制御するように、ユーザが入力した命令によってキーインデータを生成する。検出ユニット６０４は、端末機６１０の目前状態、端末機６１０の位置、ユーザの端末機６１０に対するタッチ入力の有無、端末機６１０の配向、端末機６１０の加速又は減速の移動及び方向などを検出し、端末機６１０の操作を制御するための命令又は信号を生成する。インターフェースユニット６０７は、少なくとも１つの外部装置と端末機６１０とを接続させるためのインターフェースである。出力ユニット６０５は、視覚、音響及び／又は触感の方式で出力信号を提供する。記憶部６０６は、プロセッサ６０８によって実行される処理や操作を制御するソフトウェアプログラムなどを記憶する、または、出力済み又は出力直前のデータを一時的に記憶することができる。記憶部６０６は、少なくとも１種類の記憶媒体を含むことができる。また、端末機６１０は、ネットワークによって接続されて記憶部６０６の記憶機能を実行するネットワークストレージ装置と協力することができる。プロセッサ６０８は、一般には端末機の全般操作を制御する。なお、プロセッサ６０８は、マルチメディアデータを再現又はプレイバックさせるマルチメディアモジュールを含むことができる。プロセッサ６０８は、タッチパネルでの手書き入力又は絵描き入力を文字又は画像に識別するように、モード識別処理を実行することができる。電源ユニット６０９は、プロセッサ６０８の制御によって外部電力又は内部電力を受け、少なくとも１つの素子及びアセンブリの操作に必要である適切な電力を提供する。
【００８２】
プロセッサ６０８は、記憶部６０６に記憶されているプログラムを実行することによって、少なくとも１つの機能の応用及びデータの処理を実行し、例えば、本開示のいずれかの実施例に係る背景音楽を選択して動画を撮影する方法を実現し、この方法は、例えば、指定音楽に対する閲覧指令を取得するステップと、閲覧指令に基づいて、指定音楽に対応する完全な音楽の詳細ページに移行するステップと、詳細ページから同じスタイル撮影指令を取得した後に、完全な音楽を背景音楽として動画を撮影するステップと、を含むことができる。
【００８３】
本開示に係る実施例は、コンピュータ読み取り可能な記憶媒体も提供し、コンピュータ読み取り可能な記憶媒体には、コンピュータプログラムが記憶さており、このプログラムがプロセッサ６０８によって実行されることにより、本開示のいずれかの実施例に係る背景音楽を選択して動画を撮影する方法が実現され、この方法は、例えば、指定音楽に対する閲覧指令を取得するステップと、閲覧指令に基づいて、指定音楽に対応する完全な音楽の詳細ページに移行するステップと、詳細ページから同じスタイル撮影指令を取得した後に、完全な音楽を背景音楽として動画を撮影するステップと、を含むことができる。
【００８４】
本開示の実施例におけるコンピュータ読み取り可能な記憶媒体は、１つ又は複数のコンピュータ読み取り可能な媒体のいずれかの組合せを採用することができる。コンピュータ読み取り可能な媒体は、コンピュータ読み取り可能な信号媒体又はコンピュータ読み取り可能な記憶媒体であることができる。コンピュータ読み取り可能な記憶媒体は、例えば電気、磁気、光、赤外線、半導体のシステム、装置、部品またはこれらのいずれかの組合せであることができるが、これらに限定されることではない。コンピュータ読み取り可能な記憶媒体のより具体的な例（完全に網羅されていないリスト）としては、１つの又は複数の導線を有する電気接続、携帯式磁気ディスク、ハードディスク、ＲＡＭ、ＲＯＭ、ＥＰＲＯＭ（又は、フラッシュメモリ）、光ファイバ、ＣＤ−ＲＯＭ、光記憶部品、磁気記憶部品、又はこれらのいずれかの組合せがある。本実施例では、コンピュータ読み取り可能な記憶媒体は、いずれかの、プログラムを含んでいる又は記憶されている有形的媒体であることができ、このプログラムは、指令実行システム、装置又は部品に使用される、または、指令実行システム、装置又は部品と協同して使用されることができる。
【００８５】
コンピュータ読み取り可能な信号媒体は、ベースバンドの又は搬送波の一部として伝播されるデータ信号を含むことができ、コンピュータ読み取り可能な信号媒体には、コンピュータ読み取り可能なプログラムコードが保持されている。このような伝播されるデータ信号は、電磁気信号、光信号またはこれらのいずれかの組合せのような多様な形式を採用することができるが、これらに限定されることではない。コンピュータ読み取り可能な信号媒体は、コンピュータ読み取り可能な記憶媒体以外のいずれかのコンピュータ読み取り可能な媒体であることもできる。コンピュータ読み取り可能な媒体は、指令実行システム、装置又は部品に使用される、または、指令実行システム、装置又は部品と協同して使用されるプログラムを発送、伝播又は搬送させることができる。
【００８６】
コンピュータ読み取り可能な媒体に保持されたプログラムコードは、いずれかの適切なキャリアによって伝送されることができ、キャリアは、電線、光ファイバケーブル、ＲＦ（Ｒａｄｉｏ  Ｆｒｅｑｕｅｎｃｙ）など又はこれらのいずれかの組合せを含むことができるが、これらに限定されることではない。
【００８７】
１種又は多種のプログラミング言語又はその組合せで本開示の操作を実行するためのコンピュータプログラムコードを編集することができ、前記プログラミング言語は、Ｊａｖａ（登録商標）、Ｓｍａｌｌｔａｌｋ、Ｃ＋＋、Ｒｕｂｙ、Ｇｏのようなオブジェクト指向のプログラミング言語であることもできるし、Ｃ言語又は類似のプログラミング言語ような手続き型プログラミングであることもできる。プログラムコードは、完全にユーザコンピュータで実行されることができ、または、部分的にユーザコンピュータで実行されることができ、または、独立的なソフトウェアパッケージとして実行されることができ、または、一部がユーザコンピュータで実行されかつ一部がリモートコンピュータで実行されることができ、または、完全にユーザコンピュータ又はサーバで実行されることができる。リモートコンピュータに関する場合は、リモートコンピュータは、ローカルエリアネットワーク（Ｌｏｃａｌ  Ａｒｅａ  Ｎｅｔｗｏｒｋ，ＬＡＮ）またはワイドエリアネットワーク（Ｗｉｄｅ  Ａｒｅａ  Ｎｅｔｗｏｒｋ，ＷＡＮ）のようないずれかのネットワークを介してユーザコンピュータに接続されることができ、または、外部コンピュータに接続されることができる（例えば、インターネットサービスプロバイダのサービス提供によってインターネットを介して接続されることができる）。
【図１ａ】
2021530147.tif 000003
【図１ｂ】
2021530147.tif 000004
【図１ｃ】
2021530147.tif 000005
【図１ｄ】
2021530147.tif 000006
【図１ｅ】
2021530147.tif 000007
【図２ａ】
2021530147.tif 000008
【図２ｂ】
2021530147.tif 000009
【図２ｃ】
2021530147.tif 000010
【図３ａ】
2021530147.tif 000011
【図３ｂ】
2021530147.tif 000012
【図４ａ】
2021530147.tif 000013
【図４ｂ】
2021530147.tif 000014
【図４ｃ】
2021530147.tif 000015
【図４ｄ】
2021530147.tif 000016
【図５】
2021530147.tif 000017
【図６】
2021530147.tif 000018
【国際調査報告】
2021530147.tif 000019
2021530147.tif 000020
2021530147.tif 000021
2021530147.tif 000022
2021530147.tif 000023
2021530147.tif 000024